(57)【要約】【課題】簡単な構成で重力を巧みに利用して、被吊下げ物を傷めることなく確実に吊り下げ保持できるハンガーを提供する。【解決手段】鋼線を用いて本体２が屈曲形成されて、幅方向の中央部に吊下げフック３と吊掛け操作部４を設けられ、幅方向の両端が左右上向きに傾斜されてなり、その両端にそれぞれ掛止め保持片１０，１０が取付けられており、前記吊掛け操作部４を引き寄せて前記掛け止め保持片１０，１０を筒状になった被吊掛け物の内側に係合させた後、前記吊掛け操作部４の引き寄せを解除すると本体２の復元力と被吊掛け物（ズボン５０）の質量で釣合って、被吊掛け物が吊下げ保持される。【選択図】図３
0003131174.tif 000002
【実用新案登録請求の範囲】
【請求項１】
鋼線を用いて本体が屈曲形成されて、幅方向の中央部に吊下げ部と吊掛け操作部を設けられ、幅方向の両端が左右上向きに傾斜されてなり、その両端にそれぞれ掛止め保持片が取付けられており、前記吊掛け操作部を引き寄せて前記掛け止め保持片を筒状になった被吊掛け物の内側に係合させた後、前記吊掛け操作部の引き寄せを解除すると本体の復元力と被吊掛け物の質量で釣合って吊掛け物が吊下げ保持される構成であることを特徴とするハンガー。
【請求項２】
前記本体中央部に設けられる吊下げ部と吊掛け操作部とは、鋼線で一連に屈曲形成されて弾発力が付与される構成である請求項１に記載のハンガー。
【請求項３】
前記掛け止め保持片は、ブロック体で基幹部に前記本体への装着孔が横向きに設けられ、所要長さで基幹部から先端部に向けて前記装着孔の軸線と平行する向きで端部まで切込み溝が形成され、その切込み溝によって二股状にされて本体の端部に前記装着孔を嵌めて固着垂設され、外端側面には滑り止めが設けられている請求項１に記載のハンガー。
【請求項４】
ハンガー本体には、中央部に長孔が形成されて両端部に上着の肩受け部を備えた上着掛け部材が、前記長孔部分に前記吊掛け操作部を受け入れ支持されるようにする構成である請求項１に記載のハンガー。
【考案の詳細な説明】
【技術分野】
【０００１】  この考案は、主としてズボンやスカートなど丸胴の部分を持った衣料を吊下げて保持するのに効果的なハンガーに関するもので、詳しくはハンガーに作用する吊下げ負荷を利用して掛け止め部での保持力を確保できるハンガーに関するものである。
【背景技術】
【０００２】  従来、ズボンなどを保存するのに使用されている吊下げ具としては、上着などを吊り掛ける上着用ハンガーの一部に配された支持棒にズボンを折り返して支持させて、その外から線材を加工してなる押え部材で前記支持棒とによってズボンを挟み付け滑り落ちるのを防止するというような形式のものが汎用されている。また、上端部に設けた結合部で開閉自在にして、下部に横長の押え部を持つ一対の部材からなり、その一対の部材の内側に対抗する弾性体と磁気吸着部とを取付けて、その一対の部材を閉じ合わせると磁気吸着部および弾性体が互いに密着してズボンを挟みつけて吊下げるようにしたズボンハンガーが特許文献１によって開示されている。【０００３】  また、ハンガーを形成する線状で左右に伸びる枠体の一辺を下がり勾配にして対称に配したものに、その下がり傾斜部分で左右にクリップを移動可能に取り付け、この両クリップでズボンの裾又は腰周りを挟んで吊下げると、そのズボンの自重でクリップが左右に滑って緊張状態に吊下げるように構成したものが特許文献２によって開示されている。
また、このほかにスカートのような衣料は、腰周り部の内側に吊下げ具の両端部を引っ掛けるようにして吊下げる方法が多く採用されている。【０００４】
【特許文献１】  特開平０８−１６８４３４号公報
【特許文献２】  特開２００２−２３８７２８号公報
【考案の開示】
【考案が解決しようとする課題】
【０００５】  しかしながら、前記特許文献１によって知られるハンガーでは、磁力で挟みつけてズボンを吊下げるものであるから、強力な磁石を必要とし、取り扱う際に磁力が働くと先にハンガーの結合部が閉じてなかなかうまく装着できず、吊り掛けるのが困難である。また、構造的にも不安定な形状になり取り扱いが不便であるという問題点がある。【０００６】  一方、特許文献２によって知られるものでは、吊りかける衣服（例えばズボン）をクリップで挟みつけて吊下げるので、いくら自重を利用して吊下げることにより皺伸ばしができるとしても安定性に欠ける。特にクリップで挟みつけて吊下げるのでは、そのクリップによる挟持力が強くないと滑り落ちることがあり、しかもその挟持力が強すぎるとはさみ癖が付き好ましくないという問題点がある。このほか、従来の支持棒に沿わせるようにして折り返して掛けたズボンの折り返し部分を挟み止める形式のハンガーでは、押え部材による保持力が十分ではなく固定ができず、吊り掛けたズボンのバランスが保てなくなると、重力で滑って自然に落下するという問題点がある。
また、スカートのように保形が困難なものにあっては、結果的に前記後者の方式がもっとも有効であるとして採用されているが、この場合ズボンの場合と同様の現象が生じて好ましくない。【０００７】  しかも、吊下げ状態で長時間安定保持できるようにするには、強力に保持させる機能が要求され、満足できるようにするために、固定力を強めると吊下げ物に挟み癖が付いたり、ときには傷めることになって好ましくない。【０００８】  このように、従来実用されている吊下げ具（ハンガー）については、色々な試みがなされているも、いずれの方式によっても長時間安定保持できる機能を備えたズボンなどを吊下げるハンガーについては多くの問題点がある。【０００９】  この考案は、前述のような問題点を解決するためになされたもので、簡単な構成で重力を巧みに利用して、被吊下げ物を傷めることなく確実に吊り下げ保持できるハンガーを提供することを目的とするものである。
【課題を解決するための手段】
【００１０】  前記目的を達成するために、本考案によるハンガーは、
鋼線を用いて本体が屈曲形成されて、幅方向の中央部に吊下げ部と吊掛け操作部を設けられ、幅方向の両端が左右上向きに傾斜されてなり、その両端にそれぞれ掛止め保持片が取付けられており、前記吊掛け操作部を引き寄せて前記掛け止め保持片を筒状になった被吊掛け物の内側に係合させた後、前記吊掛け操作部の引き寄せを解除すると本体の復元力と被吊掛け物の質量で釣合って吊掛け物が吊下げ保持される構成であることを特徴とするものである（第１考案）。【００１１】  前記第１考案において、本体中央部に設けられる吊下げ部と吊掛け操作部とは、鋼線で一連に屈曲形成されて弾発力が付与される構成であるのがよい（第２考案）。【００１２】  また、前記第１考案において、前記掛け止め保持片は、ブロック体で基幹部に前記本体への装着孔が横向きに設けられ、所要長さで基幹部から先端部に向けて前記装着孔の軸線と平行する向きで端部まで切込み溝が形成され、その切込み溝によって二股状にされて本体の端部に前記装着孔を嵌めて固着垂設され、外端側面には滑り止めが設けられているのがよい（第３考案）。【００１３】  第１考案におけるハンガー本体には、中央部に長孔が形成されて両端部に上着の肩受け部を備えた上着掛け部材が、前記長孔部分に前記吊掛け操作部を受け入れ支持されるようにする構成であるのが好ましい（第４考案）。
【考案の効果】
【００１４】  前記考案によれば、本体の吊掛け操作部を手で握って引き寄せて被吊掛け物、例えばズボンの裾内部に両先端部の掛け止め保持片を挿入して係止させ、そのまま吊掛け操作部の引き寄せ力を開放すると、本体が鋼線を曲げ加工して弾性を付与した構成にされているので、その吊掛け操作部の復元作用によって、ズボンの裾内部（吊掛け物）に挿入係止させた掛け止め保持片が反発して筒状の裾部を緊張させる。そして、その緊張力が吊掛ける物品（ズボン）の自重によって使用中自動的に維持されるので、その緊張力によって、被吊掛け物（ズボン）が確実に吊掛け状態を維持できる。もちろん、支持部に損傷を与えることはない。また、取外すときには吊掛け操作部を手で握って内側に引き寄せれば、両先端部の掛け止め保持片による保持力が除かれるので、被吊掛け物（ズボン）を簡単に取外すことができる。【００１５】  本考案のハンガーは、構造的に簡単で、しかも確実にズボンのような筒状部分を備える物品を吊掛けることができ、使用に際してその占有スペースもきわめて少ないから、多量に吊掛けて使用する場合にも省スペースで有効に活用できるという効果を奏する。また、構造簡単であるから安価に提供することができる。【００１６】  また、前記考案において、左右方向に作用する弾性力で被吊掛け物を吊掛け保持する掛け止め保持片は、その基幹部から下向きに形成される切込み溝に被吊り掛け物、例えばズボンの裾端を一対揃えて挟み込むとともにそれぞれの裾内側に挿入させて保持することで、そのズボンの裾を揃えて内側で左右に緊張させることにより保持力を確保して吊下げることができる。同時に、ズボンの場合、その裾を揃えることで折り目線を正しく維持して皺を発生させることなく保持できて次回のズボンの使用時に折り目正しい状態での着用ができるという効果を奏するのである。また、吊下げ緊張時にその掛け止め保持片の外端側面には滑り止めが施されているので、緊張力と摩擦力とによって滑り落ちることなく保持力を確保することができる。【００１７】  また、第４考案によれば、本体の吊掛け操作部に上着掛け部材を装着保持させることで、前述のようにしてズボンを吊り掛けるとともに、上着を掛け吊ることができるので、上下一着分の衣服を要領よく吊りかけて整理できるという効果を奏する。
【考案を実施するための最良の形態】
【００１８】  次に、本考案によるハンガーの具体的な実施の形態について、図面を参照しつつ説明する。【００１９】  図１には本実施形態のハンガー本体の正面図が示されている。図２には掛け止め保持片の斜視図が、図３には使用状態の一例の要部を表す図（ａ）と使用状態での掛け止め保持片を表す斜視図（ｂ）とが、図４には上着掛け部材と組み合わせた本考案のハンガーを表す図が、それぞれ示されている。【００２０】  本実施形態のハンガー１は、本体２を所要線径（例えばφ３．２ｍｍ）の鋼線で曲げ加工されて形成されている。この本体２は中央部２ａの上側に連接して吊下げフック３となる部分が一連の鋼線で曲げ加工されて形成されている。そして、前記中央部２ａには、前記吊下げフック３に連なる吊掛け操作部４が所要の間隔を隔てて形成され、その吊掛け操作部４からそれぞれ両側へ少なくとも９０度以上平面的に折り曲げて自由状態で所要長さの吊下げ支持腕部５，５が、その端部５′，５′を上向きになるようにして延長形成され、それらの両端部５′，５′にそれぞれ掛け止め保持片１０，１０が取付けられている。【００２１】  前記本体２における吊掛け操作部４は、ちょうど使用者が片手で把持することができる間隔で縦方向に平行して鋼線の縦部位４ａ，４ａが形成されている。また、前記吊掛け操作部４の縦部位４ａ，４ａ下端部分から左右両端に屈曲して張出す前記吊下げ支持腕部５，５は、緩やかな円弧を描いて端部５′が斜め上向きになるように形成され、これら吊下げ支持腕部５，５の両端間のフリーでの寸法Ｌが吊下げ使用するズボン５０（被吊下げ物体）の裾幅寸法Ｌ′（図３を参照）よりもやや長くなるように形成されている。【００２２】  前記掛け止め保持片１０は、縦長で基幹部１１を前記本体の吊下げ支持腕部５の先端部分５′に固着されるプラスチック製のブロック体で、その基幹部１１から下端に向けてやや先細りのテーパ状に形成されている。そして、その基幹部１１には本体２の吊下げ支持腕部５の先端部に装着するための取付孔１２が横向きに貫通して設けられている。この基幹部１１の下側には、前記取付孔１２の軸線方向（本体２の吊下げ支持腕部５）と平行して下端まで切り込み部１３が設けられ、外端側面にはギザギザの凹凸を横向きに多数形成した滑り止め１４が付されている。【００２３】  また、前記ハンガー本体２には、その吊掛け操作部４の受け側に中央部を支持して横長の上着掛け部材７が着脱可能に取り付けることができる。この上着掛け部材７は、所要長さで両端部の上側を上着の肩受け部７ａとして曲面に形成され、中央部で上下方向に長孔８が貫通して設けられ、プラスチックにて断面が逆Ｕ字型に成形されたものである。この上着掛け部材７は、前記長孔８の周縁部で裏面側に前記ハンガー本体２の吊掛け操作部４の肩部分４ｂにて受け止められる受け部７ｂが設けられ、本体２と組み合わせたとき安定保持されるようにされている。【００２４】  このように構成された本実施形態のハンガー１は、その本体２によって無端状に形成される衣料品例えばズボンやスカートを吊下げて保持するのに使用する。使用に際しては、まず例えばズボン５０を吊掛けるのに使用する場合、そのズボン５０の両裾部を揃えて準備す��。そして、ハンガー１の本体２の中央部に形成される吊掛け操作部４の両縦部位４ａ，４ａを片手で内向きに絞るように握り込むと、本体２全体を形成する鋼線の弾性力に抗して吊下げ支持腕部５の両端部５′，５′に付されている掛け止め保持片１０，１０が中央部側に引き寄せられるので、それら両掛け止め保持片１０，１０を吊下げようとするズボン５０の裾口５１の内側に挿入する。このとき、各掛け止め保持片１０の切り込み部１３内に図３（ｂ）で示されるように、ズボン５０の両裾縁の一部が差し込まれるようにして挿入する。その後に、手で持って引き絞っている吊掛け操作部４に加える力を除くと、両掛け止め保持片１０，１０が本体２を構成する鋼線の弾性復元力で挿入したズボンの裾口５１を外向きに張出して緊張させる。【００２５】  したがって、本体２中央上部に形成される吊下げフック３を、別途支持部（例えばクローゼットの吊掛け棒）に吊掛けると、本体２の両端部に取り付く両掛け止め保持片１０，１０を介してズボン５０の自重がハンガー１全体に作用し、吊下げているズボン５０の裾口５１を緊張させる外力と吊掛け操作部４の絞縮反力とが平衡して吊下げ状態を維持することができるのである。【００２６】  そして、前記状態でハンガー１に吊下げ支持されるズボン５０は、その裾口５１が前述のように緊張すると同時に挿入係合する掛け止め保持片１０の切り込み部１２によって両裾口５１を挟んだ状態に保持され、かつ裾口５１の内側で掛け止め保持片１０の外側面に形成されている滑り止め１３との接触摩擦で抜け落ちるのが防止されるので、吊下げ中に抜け落ちることなく安定保持される。また、ズボン５０はクリップで挟み付けて吊下げられるような構成ではないので、裾の表面を傷つけることもない。【００２７】  さらに、このハンガー１は両端部の掛け止め保持片１０を除いて鋼線で形成されているので、嵩張ることもなく、狭いスペースに詰め合わせると吊下げ量を増やすことができるという利点がある。【００２８】  吊下げ状態にあるハンガー１からその吊下げられているズボン５０を外すときには、そのハンガー１の中央部で吊下げ操作部４を前述のように装着する際と逆の操作、つまり吊下げ操作部４の両縦部位４ａ，４ａを手で握り込むようにすることにより、吊下げ支持腕部５の両端部５′，５′に付されている掛け止め保持片１０，１０が中央部側に引き寄せられるので、保持されているズボン５０の裾口５１への緊張力が除かれる。したがって、そのままズボン５０をハンガー１から簡単に取外すことができるのである。【００２９】  一方、上着掛け部材７を使用して上着を吊り掛ける場合は、その上着掛け部材７の中央の長孔８を前記本体２の吊下げ操作部４上に挿通させて、吊下げ操作部４の肩部分４ｂに長孔８の裏面周縁の受け部７ｂを当接保持させ、従来と同様に上着を上着掛け部材７に掛けて両肩部７ａで上着を保持させる。こうすると、この上着掛け部材７がその中央部でバランスして本体２に支持され、安定状態で吊掛け保持することができる。なお、本実施形態では、この上着掛け部材７を用いずに本体２のみでズボン専用のハンガーとして使用することができる。【００３０】  上述のように、本考案のハンガーによれば、簡単��構成で吊下げ物を安定保持することができるので、本体の両端間の寸法を長くすることにより、ズボン以外にスカートのような開口径の大きい物品の吊下げ保管用として使用できるものである。
【図面の簡単な説明】
【００３１】
【図１】本実施形態のハンガーの全体正面図
【図２】掛け止め保持片の斜視図
【図３】使用状態の一例の要部を表す図（ａ）と使用状態での掛け止め保持片を表す斜視図（ｂ）
【図４】上着掛け部材と組み合わせた本考案のハンガーを表す図
【００３１】１      ハンガー
２      本体
３      吊下げフック
４      吊掛け操作部
４ａ    吊掛け操作部の縦部位
５      吊下げ支持腕部
７      上着吊掛け部材
７ｂ    受け部
８      長孔
１０    掛け止め保持片
１２    切込み部
１３    滑り止め
５０    ズボン
５１    ズボンの裾口
【図１】
0003131174.tif 000003
【図２】
0003131174.tif 000004
【図３】
0003131174.tif 000005
【図４】
0003131174.tif 000006